(57)【要約】【課題】部品点数が少なく、構造が簡易であり、組立てがしやすく、かつ水はね防止効果を十分に有したくさり竪樋を提供する。【解決手段】くさり竪樋１を構成する個々の鎖部材２は、上面部を開口し、底部１３に貫通孔１２を設けたカップ体１１と、上、下に上引掛け部２１、下引掛け部２２が形成され、中間に水はね防止部２３が形成され、上引掛け部２１、下引掛け部２２のそれぞれがカップ体１０の開口１１、貫通孔１２より突出されるようにするとともに水はね防止部２３がカップ体１０の内部に配設されるようにして、カップ体１０の内方に装入された連設片２０とを組み合わせて構成されている。【選択図】図１
2010106519.tif 000002
【特許請求の範囲】
【請求項１】
複数の鎖部材を連設してなるくさり竪樋であって、
上記鎖部材は、上面部を開口し、底部に貫通孔を設けたカップ体と、上、下に上引掛け部、下引掛け部が形成され、中間に水はね防止部が形成され、該上引掛け部、下引掛け部のそれぞれが上記カップ体の開口、貫通孔より突出されるようにするとともに上記水はね防止部が上記カップ体の内部に配設されるようにして、上記カップ体の内方に装入された連設片とを組み合わせて構成されたことを特徴とするくさり竪樋。
【請求項２】
上記連設片の下引掛け部は、上記カップ体の底部の貫通孔周辺を下方より支持する支持突片を有した構造とされるくさり竪樋。
【請求項３】
請求項１または２において、
上記連設片は棒状体よりなり、上記水はね防止部は該棒状体を旋回状に加工して形成されているくさり竪樋。
【請求項４】
請求項１または２において、
上記連設片は板状体よりなり、上記水はね防止部は該板状体を切り起こしおよび／または折り曲げ加工して形成されているくさり竪樋。
【請求項５】
請求項１〜４のいずれか１項において、
上記上引掛け部、下引掛け部はそれぞれ、平面視で交差する位置関係となっているくさり竪樋。
【発明の詳細な説明】
【技術分野】
【０００１】
本発明は、複数の鎖部材を連設してなるくさり竪樋の改良に関する。
【背景技術】
【０００２】
くさり竪樋は、雨水を、鎖状に連設した複数の鎖部材に伝わせて、下方に誘導するものであり、装飾性を有したさまざまな種類のものが市販されており、その構造についても従来から種々のものが提案されている。
【０００３】
特許文献１に示された、鎖樋を構成する個々の鎖部材は、漏斗状の短筒体の上下に、上下の開口から突出するように上下に係止片を設けた簡易なもので、上の係止片から下の係止片へと雨水が構造体を伝って流下しやすい構造となっており、そのように雨水を係止片に伝わせることで、雨水の飛散を抑止できるようになっている。
【０００４】
また図８は、従来の他のくさり竪樋を構成する鎖部材の構造を示す図で、図９（ａ）は鎖部材の構成部品であるカップ体の平面図、図９（ｂ）は鎖部材の正面図である。なお、本図では鎖部材を連設してなるくさり竪樋の全体図は省略している。
【０００５】
この鎖部材１００は、上下に開口１１１、１１２を有したカップ体１１０（短筒体）と、直上の鎖部材に吊り下げ連設するための上引掛け部材１２１と、下方に他の鎖部材１００を吊り下げさせるための下引掛け部材１２２と、中央に孔１２３ａを開設した水はね防止板１２３とを備えている。
【０００６】
この水はね防止板１２３は、カップ体１１０の内壁面１１５の上部位置に、水平状態に固着され、ドーナツ状の板部１２３ｂによって、カップ体１１０の上面開口１１１を部分的に塞いでいる。すなわち、この水はね防止板１２３によれば、上方から流れてくる雨水はいったん板部１２３ｂで受け止められて孔１２３ａや上引掛け部材１２１係合用の係合孔よりなる係合部１２３ｃ、１２３ｃより落下するため、単位時間当たりの落下水量が低減され、カップ体１１０の下面開口１１２からの雨水の飛散（水はね）を防止できる。
【０００７】
また、上引掛け部材１２１は、カップ体１１０の上面開口１１１より突出するように、係合部１２１ａが水はね防止板１２３の係合部１２３ｃと係合しており、下引掛け部材１２２は、カップ体１１０の下面開口１１２から突出するように、係合部１２２ａ、１２２ａがその復帰弾性力によってカップ体１１０の底段部１１０ａ、１１０ａと係合している。
【特許文献１】実開平５−７８２５号公報
【発明の開示】
【発明が解決しようとする課題】
【０００８】
しかしながら、図９の鎖部材１００は、上記のように４つの部品からなるため、工場や現場での組立て作業に時間がかかり作業効率がよくなかったし、部品点数が多いため高価なものとなっていた。さらに、この鎖部材１００を連設する際には、上下の引掛け部材１２１、１２２を、上下に隣接する鎖部材に係合、連結させるとともに、それらの引掛け部材１２１、１２２の係合部１２１ａ、１２２ａをカップ体１１０に係合させなければならないから、その作業は思いのほか面倒であり、時間を要していた。
【０００９】
また、雨水は伝い流下させれば流下速度（単位時間当たりの流水量）が落ち、水はね、飛散を少なくできるが、図６の構造によれば、上の孔１２３ａと下の開口１１２との間に障害物がないため、雨水はいったん水はね防止板１２３で受け止められても、孔１２３ａに流れ込む雨水は直接落下するから、カップ体１１０の内壁面１１５に雨水を伝わせることは困難であると予想される。したがって、この構造によれば単位時間当たりの落下水量は少なくできても、確実に水はねを防止できるとはいえない。
【００１０】
また、文献１に記載の鎖部材は、係止片を伝って流下してきた雨水が短筒体の内壁に伝って流下するので、伝い流下による水はね防止効果は期待できるが、複数の鎖部材間で開口が上下にほとんど障害物なく貫通しているため、雨水量が多ければ直接落下する雨水量も多く、そのため水はね防止構造としては十分ではない。
【００１１】
さらに、文献１に記載の鎖部材は、部品点数が図６のものより少なく、かつ構造は比較的簡易であるが、上下の係止片を短筒体に結合させる必要があるため、図６のものと同様に、鎖部材の連設作業は効率よく行えないものと予想される。
【００１２】
本発明は、このような事情を考慮して提案されたもので、その目的は、部品点数が少なく、構造が簡易であり、組立てがしやすく、かつ水はね防止効果を十分に有したくさり竪樋を提供することにある。
【課題を解決するための手段】
【００１３】
上記目的を達成するために、請求項１に記載のくさり竪樋は、複数の鎖部材を連設してなるくさり竪樋であって、鎖部材は、上面部を開口し、底部に貫通孔を設けたカップ体と、上、下に上引掛け部、下引掛け部が形成され、中間に水はね防止部が形成され、上引掛け部、下引掛け部のそれぞれがカップ体の開口、貫通孔より突出されるようにするとともに水はね防止部がカップ体の内部に配設されるようにして、カップ体の内方に装入された連設片とを組み合わせて構成されたことを特徴とする。
【００１４】
請求項２に記載のくさり竪樋では、連設片の下引掛け部が、カップ体の底部の貫通孔周辺を下方より支持する支持突片を有した構造とされる。
【００１５】
請求項３に記載のくさり竪樋では、連設片は棒状体よりなり、水はね防止部は棒状体を旋回状に加工して形成されている。
【００１６】
請求項４に記載のくさり竪樋では、連設片は板状体よりなり、水はね防止部は板状体を切断および／または折り曲げ加工して形成されている。
【００１７】
請求項５に記載のくさり竪樋では、上引掛け部、下引掛け部はそれぞれ、平面視で交差する位置関係となっている。
【発明の効果】
【００１８】
請求項１に記載のくさり竪樋によれば、くさり竪樋を構成する個々の鎖部材が、カップ体と連設片とを組み合わせただけの構成であるため、構造がきわめて簡易であり、現場等での組立て（連設）作業を効率よく短時間で行える。また、部品点数が少ないため、コストダウンにも寄与でき、また在庫管理面での利点もある。さらに、連設片には、カップ体に内包される水はね防止部が構造的に含まれているので、カップ体の雨水の出口（貫通孔）での水はねを効果的に防止することもできる。
【００１９】
請求項２に記載のくさり竪樋によれば、連設片の下引掛け部が、カップ体の底部の貫通孔周辺を下方より支持する支持突片を有しているため、カップ体がずれ落ちることなく、カップ体を安定的に支持できる。
【００２０】
請求項３に記載のくさり竪樋によれば、連設片は棒状体よりなり、水はね防止部が棒状体を旋回状に加工して立体的に形成されたものであるため、上下の鎖部材に対する引掛け連設機能と、水はね防止機能の両機能を有した連設片を簡易な構造で構成できる。特に、水はね防止部を立体的に構成できるので、従来の平面的な水はね防止構造とは異なり、カップ体に入り込んだ雨水の多くを水はね防止部に伝わせて流下させることができる。
【００２１】
請求項４に記載のくさり竪樋によれば、連設片は板状体よりなり、水はね防止部が板状体を切り起こし、折り曲げ加工して形成されたものであるため、請求項３と同様に、上記両機能を有した連設片を簡易な構造で構成できる。
【００２２】
請求項５に記載のくさり竪樋によれば、上引掛け部、下引掛け部はそれぞれ、平面視で交差する位置関係となっているため、それらは雨水の直接落下の障害物となり得、さらなる水はね防止効果を期待できる。また、上引掛け部と下引掛け部とが交差関係にあるので、鎖部材を連設してくさり竪樋を組み立てたときに、上引掛け部、下引掛け部のそれぞれの全てが同一方向を向き、見映えがよい。
【発明を実施するための最良の形態】
【００２３】
以下に、本発明の実施の形態について、添付図面を参照しながら説明する。
【００２４】
図１〜図３は、本発明の第１の実施形態として示されるくさり竪樋を構成する鎖部材の説明図で、図１（ａ）は斜視図、図１（ｂ）は平面図である。図２（ａ）は鎖部材の構成部品である連設片の正面図、図２（ｂ）は側面図であり、図２では鎖部材の他の構成部品であるカップ体を想像線（２点鎖線）で描いている。図３は、同くさり竪樋（鎖部材が連設された状態）の概略斜視図である。
【００２５】
このくさり竪樋１は、図３に示すように、複数の鎖部材２を連設してなり、雨水を、複数の鎖部材２に伝わせて下方に誘導し、地面に流下させるものであり、玄関先などで屋根先から地面までの間に、吊り下げるように配設される。なお、くさり竪樋１の下端には、地面に安定的に載置されるように終端鎖部材３が取り付けられている。
【００２６】
くさり竪樋１を構成する個々の鎖部材２（終端鎖部材３を除く。）は、上下を開口したカップ体１０と、上下の鎖部材２と連設する機能およびカップ体１０を支持する機能を兼ね備えた連設片２０との２部品によって構成されている。
【００２７】
より具体的には、カップ体１０は銅などの金属や樹脂で製され、上面部が開口され底部１３に貫通孔１２が設けられた、上部方向にやや広がった六角筒体状に形成されており、上端には開口１１を囲むように装飾用の花弁体１４が形成されている。また、カップ体１０の内部空間１６は、それぞれが底部１３の貫通孔１２に向けてわずかに降下傾斜した６面の内壁面１５によって囲まれている。なお、カップ体１０は六角筒体でなくてもよく、横断面が他の多角形、円形あるいは楕円形などの筒体であってもよく、流下してくる雨水を受け止め下方に流す機能と、外観を装飾するデザイン性を要したものであることが望ましい。
【００２８】
一方、連設片２０は、リン青銅などの弾性のある金属や樹脂で製された棒状体を折り曲げ加工して成形されており、上、下に上引掛け部２１、下引掛け部２２が形成され、中間にらせん状に旋回加工された水はね防止部２３が形成されている。つまり、連設片は１本の棒状体よりなるため、その一方の端部で上引掛け部２１が形成され、他方の端部で下引掛け部２２が形成されており、上引掛け部２１では一方の開放端２１ｂを折り曲げて上端部２１ａに掛部が形成され、下引掛け部２２では他方の開放端２２ｂを折り曲げて下端部に掛受部２２ａが形成されている。さらに、上引掛け部２１、下引掛け部２２のそれぞれには、棒状体の開放端２１ｂ、２２ｂによる開口２１ｃ、２２ｃが形成されている。また、上引掛け部２１と下引掛け部２２とは、平面視で交差している（図１（ｂ）を参照）。なお、棒状体は、径が３ｍｍ〜５ｍｍ程度のものが望ましいが、これには限定されない。
【００２９】
また、下引掛け部２２はカップ体１０を下方より支持するための一対の支持突片２２ｄ、２２ｄを有した、下向き矢印状の形状となっており、一対の支持突片２２ｄ、２１ｄがカップ体１０の底部１３の貫通孔１２周辺を下方より支持する構造となっている。さらに、下引掛け部２２の上端部は、開口２２ｃによって弾性変形が可能となっているため、その弾性力によってもカップ体１０との係合が補完される。
【００３０】
また、水はね防止部２３を構成するらせん体は、上部から下部に向けて径が小さくなるようなコイルばね体であり、本実施形態ではらせん体の外側面の数箇所が、直立させたカップ体１０の内壁面１５に接している。このように、らせん体を内壁面１５に接触させることで、カップ体１０をぐらつかせることなく安定化できる。カップ体１０をより確実に安定化させるために、カップ体１０の内壁面１５に段部や溝などを設けて、それらにらせん体を係合、固定できるようにしてもよい。
【００３１】
なお、カップ体を直立させた状態で、水はね防止部とカップ体の内壁面とが全く接触しないものでもよい。水はね防止部と内壁面との間にわずかな空隙を形成させておけば、風や流下する雨水などでくさり竪樋が揺れ動くたびに、個々のカップ体もそれぞれ異なる方向に揺れ動く可能性があるが、それによって動的な装飾性、意匠性が得られる。
【００３２】
さらに、連設片２０の水はね防止部２３によれば、そのらせん形状によって、図１（ｂ）の平面図に示すように、上下に開口されたカップ体１０の内部空間１６が平面視で目皿のごとく適度に塞がれており、かつ図２に示すように水はね防止部２３が立体的に形成されているため、上方よりカップ体１０に流れ込んでくる雨水をカップ体１０の内方でいったん受け止めて、雨水をらせん体や内壁面１５に伝わせるように流下させ、それによって大量の雨水が直接落下することを防ぎ、単位時間当たりの流水量を減じるように、貫通孔１２より雨水を流出させることができる。
【００３３】
こうして、カップ体１０に流れ込んできた雨水は水はね防止部２３を伝い流下していくため、カップ体１０の出口（貫通孔１２）から雨水が飛散、水はねすることを防止できる。また、上引掛け部２１と下引掛け部２２が平面視で交差しているため、水はね防止部２３だけによらず、これらによっても水はね防止効果を向上させることができる。つまり、本実施形態に示した鎖部材２によれば、カップ体１０および連設片２０の協働によって、水はねを防止することができる。もちろん、カップ体１０による意匠性、重量感、安定感なども期待できる。
【００３４】
なお、水はね防止部２３はらせん体に限られず、棒状体を種々の形状に折り曲げたり湾曲させたりして変形させたものでもよい。特に、雨水の直接落下が防げるように、平面視で上面開口１１の一部を塞いで、開口１１を塞ぐそれらの障害物に雨水を当てて伝い流下させやすくでき、かつカップ体１０の内壁面１５に周端の一部が近接あるいは接触するような形状のものが望ましい。例えば、棒状体を平面視で星形、放射状などに折曲加工したものでもよい。
【００３５】
また、本実施形態に示した上記鎖部材２によれば、鎖部材２を構成する部品の点数が少なく、またカップ体１０および連設片２０の形状、構造も簡易であるため、コストダウンにも貢献でき、また部品がカップ体１０および連設片２０の２点なので在庫管理も面倒ではない。
【００３６】
さらに、この鎖部材２の構造によれば、くさり竪樋１の組立て作業（複数の鎖部材の連設作業）も効率的に行える。図４には、くさり竪樋１の組立て手順の一例を斜視図で示している。なお、図４では、連設作業を行おうとしている当該鎖部材とその構成部材、部分については符号に「Ｄ」を付加し、被連設鎖部材とその構成部材、部分については符号に「Ｕ」を付加している。
【００３７】
図４に示すように、まず、上側の鎖部材（図４には不図示）のカップ体（図４には不図示）を少し上に持ち上げて連設片２０Ｕの下引掛け部２２Ｕの開口２２ｃＵを露出させた状態にしておき、その下引掛け部２２Ｕの掛受部２２ａＵに、吊り下げようとする鎖部材２Ｄの連設片２０Ｄの上引掛け部２１Ｄの開放端２１ｂＤを通して、掛部２１ａＤを引掛けて、連設片２０Ｄのみを吊るした状態にする（図４には、このときの状態を示している）。それから、単独で吊るされた連設片２０Ｄをカップ体１０Ｄの上面部の開口１１Ｄより挿入させていき、その連設片２０Ｄの下引掛け部２２Ｄを弾性変形させながら、カップ体１０Ｄの底部１３Ｄの貫通孔１２Ｄを通過させて両者を係合させる。このような連設作業を繰り返すことでくさり竪樋を組み立てることができる。
【００３８】
なお、上記の組立て作業によれば、いったん吊り下げた鎖部材２について、カップ体１０を連設片２０より持ち上げて作業する必要があるため、引っかかりなく持上げできるように、またスムースに状態復帰できるように、下引掛け部２２の開放端２２ｂは開口２２ｃ側にわずかに折曲されている（図２なども参照）。
【００３９】
また、図１、図２で示したように、連設片２０の下引掛け部２２には弾性変形用の開口２２ｃが形成されているため、カップ体１０に連設片２０を取り付けて鎖部材２を形成してからでも、連設作業は行える。すなわち、くさり竪樋１の組立ては、図４の例のように連設片２０とカップ体１０とを個別に取り付けながら作業してもよいし、図５および図６に示すように、事前に形成準備した個々の鎖部材２を鎖部材２ごと現場で連設するようにしてもよい。この作業手順について、図５および図６を参照しながら説明する。
【００４０】
図５、図６および図７は、連設作業の手順を示す正面図で、作業は図５（ａ）、図５（ｂ）、図６（ａ）、図６（ｂ）、図７（ａ）、図７（ｂ）の順に進められる。
【００４１】
図５に示すように、まず、カップ体１０Ｄと連設片２０Ｄとを合体させて鎖部材２Ｄを形成する。すなわち、まず連設片２０Ｄをカップ体１０Ｄの上面部の開口１１Ｄより挿入させていき、その連設片２０Ｄの下引掛け部２２Ｄを弾性変形させながら、カップ体１０Ｄの底部１３Ｄの貫通孔１２Ｄを通過させて両者を係合させる（挿入前の状態を示す図５（ａ）および係合前の状態を示す図５（ｂ）を参照）。さらに下方に吊るす鎖部材２Ｄについても、同様に形成しておく。
【００４２】
つぎに、被連設鎖部材２Ｕのカップ体１０Ｕを少し上に持ち上げて連設片２０Ｕの下引掛け部２２Ｕの開口２２ｃＵが露出する程度に隙間Ｓを空けておき、あらかじめ形成しておいた当該鎖部材２Ｄを斜め状に持ち、鎖部材２Ｕの上引掛け部２１Ｄの掛部２１ａＤを上記隙間Ｓに通して（図６（ａ）および図６（ｂ）を参照）、鎖部材２Ｕの下引掛け部２２Ｕの掛受部２２ａＤまで落とし込む。
【００４３】
その後、当該鎖部材２Ｄを吊るした状態で、被連設鎖部材２Ｕのカップ体１０Ｕを、底部１３Ｕが支持突片２２ｄＵに支持される状態まで引き下げる（図７を参照）。そして、このような連設作業を繰り返しながら、所要の長さのくさり竪樋を形成する。なお、鎖部材２Ｕを取り外す場合は、上記とは逆に、図７、図６（ｂ）、図６（ａ）の順に作業を行えばよい。
【００４４】
また、連設片２０の上引掛け部２１にも開口２１ｃ（図１、図２を参照）が形成されているため、その開口２１ｃの開放端２１ｂを上側の鎖部材２の下引掛け部２２の掛受部２２ａに差し入れるようにして引掛けて連設する方法をとってもよい。以上のように種々の組立て方法が想定できるが、そのいずれの組立て方法であっても、作業は短時間で行うことができ、作業効率はきわめてよい。
【００４５】
また、上引掛け部２１と下引掛け部２２とは平面視で交差しているので、鎖部材２を連設してくさり竪樋１を組み立てたときに、上引掛け部２１、下引掛け部２２のそれぞれの全てが同一方向を向き、そのため見映えをよくできる。
【００４６】
ついで、本発明の第２の実施形態について、図８を参照しながら説明する。
【００４７】
図８は、本実施形態のくさり竪樋を構成する鎖部材の説明図であり、図８（ａ）は鎖部材の構成部品である連設片の正面図、図８（ｂ）は図８（ａ）のＡ−Ａ線の側断面図、図８（ｃ）は連設片の右側面図である。なお、本実施形態では、連設片の形状が第１の実施形態のものと異なるが、カップ体については同一であるため、２点鎖線で外形を示すとともに、その構成部分については第１の実施形態と同一の符号を付してその詳細の説明については省略する。
【００４８】
この鎖部材２Ａは、板状体を切り欠きしたり、切り起こして折り曲げたりして連設片２０を形成したもので、図例では、連設片２０の材料として、上引掛け部２１に相当する部分を幅狭とし、中間の水はね防止部２３に相当する部分を幅広とし、下引掛け部２２に相当する部分を上引掛け部２１よりもやや幅広とした、リン青銅などの金属板を使用している。
【００４９】
上引掛け部２１は、その基端部２１ｄの少し上で水平方向に直角にひねり、他の板状部（水はね防止部２３および下引掛け部２２）と平面視で交差するように形成され、その上端には、湾曲形成し開口２１ｃを有した掛部２１ａが形成されている。
【００５０】
一方、下引掛け部２２は、下端部に切込み孔２２ｅが形成されて、連設片２０の上引掛け部２１の掛部２１ａを挿入して引掛けるようにした掛受部２２ａが形成され、その切込み孔２２ｅより上方には、カップ体１０を下方より支持するために、相互に異なる方向に上方を開くように垂直方向に切断形成した一対の支持突片２２ｄ、２２ｄが形成されている。
【００５１】
この下引掛け部２２の一対の支持突片２２ｄ、２２ｄは、切り起こし加工されてほぼ同一角度で相互に反対側に開いており、それらの開放端部２２ｄａ、２２ｄａでカップ体１０の底部１３の貫通孔１２周辺を支持できるようになっている。
【００５２】
また、この連設片２０はカップ体１０の上面部の開口１１より挿入、装着するが、下引掛け部２２を底部１３の貫通孔１２に通すときには、下引掛け部２２の一対の支持突片２２ｄ、２２ｄが貫通孔１２の周縁に当たり、さらに押し入れてゆくと一対の支持突片２２ｄ、２２ｄは弾性変形してその上端が近づくように徐々に閉じてゆき、支持突片２２ｄ、２２ｄが完全に抜けると元の状態に復帰して、底部１３を下方より支持する状態となる。
【００５３】
連設片２０の中間に位置する水はね防止部２３は、上下２箇所に平行に、相互に異なる方向に開くように水平方向に切断形成した切り起こし片２３ｂ、２３ｂが形成されている。これらの切り起こし片２３ｂ、２３ｂは、平面視で、水はね防止部２３の本体板２３ａに対し直交するように、中央位置に折り曲げ加工され、その先端２３ｂａが内壁面１５に近接あるいは接触するように形成されている。この切り起こし片２３ｂ、２３ｂによって、連設片２０は平面視で十字形状を形成する。なお、３以上の切り起こし片を種々の方向に折り曲げ形成させてもよい。
【００５４】
このように、本実施形態に示した鎖部材２Ａも、平面視で、カップ体１０の内部空間１６の一部を塞ぐように水はね防止部２３（連設片２０）が配設されるため、水はね防止効果が期待できる。この鎖部材２は、連設片２０として板状体を立てて使用するため、平面視では上下に貫通する開口をわずかにしか塞げないが、板状体であるため横方向を向く外面が広く、そのため落下してきた雨水は板面に当たりやすく、雨水がいったん板面に当たるとそのまま伝い流下するので、貫通孔１２からの流出の勢いは制される。よって、この鎖部材２によっても水はね、飛散を効果的に防止できる。
【００５５】
また、鎖部材２はカップ体１０および連設片２０の２部品で構成され、構成部品であるカップ体１０および連設片２０の形状、構造も簡易であるため、組立てが簡単にでき、またコスト面、在庫管理面でも効果的である。さらに、くさり竪樋１の組立て作業（複数の鎖部材の連設作業）も効率的に行える。
【図面の簡単な説明】
【００５６】
【図１】本発明の第１の実施形態として示されるくさり竪樋を構成する鎖部材の説明図で、（ａ）は斜視図、（ｂ）は平面図である。
【図２】（ａ）は同鎖部材の構成部品である連設片の正面図、（ｂ）は側面図である。
【図３】同くさり竪樋（鎖部材が連設された状態）の概略斜視図である。
【図４】同くさり竪樋の組立て手順の一例を示した斜視図である。
【図５】（ａ）、（ｂ）は同くさり竪樋の組立て手順の他例を示した正面図である。
【図６】（ａ）、（ｂ）は同くさり竪樋の組立て手順の他例を示した正面図である。
【図７】同くさり竪樋の組立て手順の他例を示した正面図である。
【図８】本発明の第２の実施形態として示されるくさり竪樋を構成する鎖部材の説明図で、（ａ）は同鎖部材の構成部品である連設片の正面図、（ｂ）は（ａ）のＡ−Ａ線の側断面図、（ｃ）は同連設片の右側面図である。
【図９】（ａ）は鎖部材の構成部品であるカップ体の平面図、（ｂ）は鎖部材の正面図である。
【符号の説明】
【００５７】
１      くさり竪樋
２      鎖部材
１０      カップ体
１１      上面開口
１２      貫通孔
１３      底部
１５      内壁面
１６      内部空間
２０      連設片
２１      上引掛け部
２１ａ      掛部
２１ｂ      開放端
２１ｃ      開口
２２      下引掛け部
２２ａ      掛受部
２２ｂ      開放端
２２ｃ      開口
２２ｄ      一対の支持突片
２３      水はね防止部
【図１】
2010106519.tif 000003
【図２】
2010106519.tif 000004
【図３】
2010106519.tif 000005
【図４】
2010106519.tif 000006
【図５】
2010106519.tif 000007
【図６】
2010106519.tif 000008
【図７】
2010106519.tif 000009
【図８】
2010106519.tif 000010
【図９】
2010106519.tif 000011
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
複数の鎖部材を連設してなるくさり竪樋であって、
上記鎖部材は、上面部を開口し、底部に貫通孔を設けたカップ体と、上、下に上引掛け部、下引掛け部が形成され、中間に水はね防止部が形成され、該上引掛け部、下引掛け部のそれぞれが上記カップ体の開口、貫通孔より突出されるようにするとともに上記水はね防止部が上記カップ体の内部に配設されるようにして、上記カップ体の内方に装入された連設片とを組み合わせて構成されており、
上記上引掛け部、下引掛け部はそれぞれ、平面視で交差する位置関係となっていることを特徴とするくさり竪樋。
【請求項２】
上記連設片の下引掛け部は、上記カップ体の底部の貫通孔周辺を下方より支持する支持突片を有した構造とされるくさり竪樋。
【請求項３】
請求項１または２において、
上記連設片は棒状体よりなり、上記水はね防止部は該棒状体を旋回状に加工して形成されているくさり竪樋。
【請求項４】
請求項１または２において、
上記連設片は板状体よりなり、上記水はね防止部は該板状体を切り起こしおよび／または折り曲げ加工して形成されているくさり竪樋。
【手続補正２】
【補正対象書類名】明細書
【補正対象項目名】全文
【補正方法】変更
【補正の内容】
【発明の詳細な説明】
【技術分野】
【０００１】
本発明は、複数の鎖部材を連設してなるくさり竪樋の改良に関する。
【背景技術】
【０００２】
くさり竪樋は、雨水を、鎖状に連設した複数の鎖部材に伝わせて、下方に誘導するものであり、装飾性を有したさまざまな種類のものが市販されており、その構造についても従来から種々のものが提案されている。
【０００３】
特許文献１に示された、鎖樋を構成する個々の鎖部材は、漏斗状の短筒体の上下に、上下の開口から突出するように上下に係止片を設けた簡易なもので、上の係止片から下の係止片へと雨水が構造体を伝って流下しやすい構造となっており、そのように雨水を係止片に伝わせることで、雨水の飛散を抑止できるようになっている。
【０００４】
また図９は、従来の他のくさり竪樋を構成する鎖部材の構造を示す図で、図９（ａ）は鎖部材の構成部品であるカップ体の平面図、図９（ｂ）は鎖部材の正面図である。なお、本図では鎖部材を連設してなるくさり竪樋の全体図は省略している。
【０００５】
この鎖部材１００は、上下に開口１１１、１１２を有したカップ体１１０（短筒体）と、直上の鎖部材に吊り下げ連設するための上引掛け部材１２１と、下方に他の鎖部材１００を吊り下げさせるための下引掛け部材１２２と、中央に孔１２３ａを開設した水はね防止板１２３とを備えている。
【０００６】
この水はね防止板１２３は、カップ体１１０の内壁面１１５の上部位置に、水平状態に固着され、ドーナツ状の板部１２３ｂによって、カップ体１１０の上面開口１１１を部分的に塞いでいる。すなわち、この水はね防止板１２３によれば、上方から流れてくる雨水はいったん板部１２３ｂで受け止められて孔１２３ａや上引掛け部材１２１係合用の係合孔よりなる係合部１２３ｃ、１２３ｃより落下するため、単位時間当たりの落下水量が低減され、カップ体１１０の下面開口１１２からの雨水の飛散（水はね）を防止できる。
【０００７】
また、上引掛け部材１２１は、カップ体１１０の上面開口１１１より突出するように、係合部１２１ａが水はね防止板１２３の係合部１２３ｃと係合しており、下引掛け部材１２２は、カップ体１１０の下面開口１１２から突出するように、係合部１２２ａ、１２２ａがその復帰弾性力によってカップ体１１０の底段部１１０ａ、１１０ａと係合している。
【特許文献１】実開平５−７８２５号公報
【発明の開示】
【発明が解決しようとする課題】
【０００８】
しかしながら、図９の鎖部材１００は、上記のように４つの部品からなるため、工場や現場での組立て作業に時間がかかり作業効率がよくなかったし、部品点数が多いため高価なものとなっていた。さらに、この鎖部材１００を連設する際には、上下の引掛け部材１２１、１２２を、上下に隣接する鎖部材に係合、連結させるとともに、それらの引掛け部材１２１、１２２の係合部１２１ａ、１２２ａをカップ体１１０に係合させなければならないから、その作業は思いのほか面倒であり、時間を要していた。
【０００９】
また、雨水は伝い流下させれば流下速度（単位時間当たりの流水量）が落ち、水はね、飛散を少なくできるが、図９の構造によれば、上の孔１２３ａと下の開口１１２との間に障害物がないため、雨水はいったん水はね防止板１２３で受け止められても、孔１２３ａに流れ込む雨水は直接落下するから、カップ体１１０の内壁面１１５に雨水を伝わせることは困難であると予想される。したがって、この構造によれば単位時間当たりの落下水量は少なくできても、確実に水はねを防止できるとはいえない。
【００１０】
また、特許文献１に記載の鎖部材は、係止片を伝って流下してきた雨水が短筒体の内壁に伝って流下するので、伝い流下による水はね防止効果は期待できるが、複数の鎖部材間で開口が上下にほとんど障害物なく貫通しているため、雨水量が多ければ直接落下する雨水量も多く、そのため水はね防止構造としては十分ではない。
【００１１】
さらに、特許文献１に記載の鎖部材は、部品点数が図９のものより少なく、かつ構造は比較的簡易であるが、上下の係止片を短筒体に結合させる必要があるため、図９のものと同様に、鎖部材の連設作業は効率よく行えないものと予想される。
【００１２】
本発明は、このような事情を考慮して提案されたもので、その目的は、部品点数が少なく、構造が簡易であり、組立てがしやすく、かつ水はね防止効果を十分に有したくさり竪樋を提供することにある。
【課題を解決するための手段】
【００１３】
上記目的を達成するために、請求項１に記載のくさり竪樋は、複数の鎖部材を連設してなるくさり竪樋であって、鎖部材は、上面部を開口し、底部に貫通孔を設けたカップ体と、上、下に上引掛け部、下引掛け部が形成され、中間に水はね防止部が形成され、上引掛け部、下引掛け部のそれぞれがカップ体の開口、貫通孔より突出されるようにするとともに水はね防止部がカップ体の内部に配設されるようにして、カップ体の内方に装入された連設片とを組み合わせて構成構成されており、上引掛け部、下引掛け部はそれぞれ、平面視で交差する位置関係となっていることを特徴とする。
【００１４】
請求項２に記載のくさり竪樋では、連設片の下引掛け部が、カップ体の底部の貫通孔周辺を下方より支持する支持突片を有した構造とされる。
【００１５】
請求項３に記載のくさり竪樋では、連設片は棒状体よりなり、水はね防止部は棒状体を旋回状に加工して形成されている。
【００１６】
請求項４に記載のくさり竪樋では、連設片は板状体よりなり、水はね防止部は板状体を切断および／または折り曲げ加工して形成されている。
【００１７】
（削除）
【発明の効果】
【００１８】
請求項１に記載のくさり竪樋によれば、くさり竪樋を構成する個々の鎖部材が、カップ体と連設片とを組み合わせただけの構成であるため、構造がきわめて簡易であり、現場等での組立て（連設）作業を効率よく短時間で行える。また、部品点数が少ないため、コストダウンにも寄与でき、また在庫管理面での利点もある。さらに、連設片には、カップ体に内包される水はね防止部が構造的に含まれているので、カップ体の雨水の出口（貫通孔）での水はねを効果的に防止することもできる。また、上引掛け部、下引掛け部はそれぞれ、平面視で交差する位置関係となっているため、それらは雨水の直接落下の障害物となり得、さらなる水はね防止効果を期待できる。また、上引掛け部と下引掛け部とが交差関係にあるので、鎖部材を連設してくさり竪樋を組み立てたときに、上引掛け部、下引掛け部のそれぞれの全てが同一方向を向き、見映えがよい。
【００１９】
請求項２に記載のくさり竪樋によれば、連設片の下引掛け部が、カップ体の底部の貫通孔周辺を下方より支持する支持突片を有しているため、カップ体がずれ落ちることなく、カップ体を安定的に支持できる。
【００２０】
請求項３に記載のくさり竪樋によれば、連設片は棒状体よりなり、水はね防止部が棒状体を旋回状に加工して立体的に形成されたものであるため、上下の鎖部材に対する引掛け連設機能と、水はね防止機能の両機能を有した連設片を簡易な構造で構成できる。特に、水はね防止部を立体的に構成できるので、従来の平面的な水はね防止構造とは異なり、カップ体に入り込んだ雨水の多くを水はね防止部に伝わせて流下させることができる。
【００２１】
請求項４に記載のくさり竪樋によれば、連設片は板状体よりなり、水はね防止部が板状体を切り起こし、折り曲げ加工して形成されたものであるため、請求項３と同様に、上記両機能を有した連設片を簡易な構造で構成できる。
【００２２】
（削除）
【発明を実施するための最良の形態】
【００２３】
以下に、本発明の実施の形態について、添付図面を参照しながら説明する。
【００２４】
図１〜図３は、本発明の第１の実施形態として示されるくさり竪樋を構成する鎖部材の説明図で、図１（ａ）は斜視図、図１（ｂ）は平面図である。図２（ａ）は鎖部材の構成部品である連設片の正面図、図２（ｂ）は側面図であり、図２では鎖部材の他の構成部品であるカップ体を想像線（２点鎖線）で描いている。図３は、同くさり竪樋（鎖部材が連設された状態）の概略斜視図である。
【００２５】
このくさり竪樋１は、図３に示すように、複数の鎖部材２を連設してなり、雨水を、複数の鎖部材２に伝わせて下方に誘導し、地面に流下させるものであり、玄関先などで屋根先から地面までの間に、吊り下げるように配設される。なお、くさり竪樋１の下端には、地面に安定的に載置されるように終端鎖部材３が取り付けられている。
【００２６】
くさり竪樋１を構成する個々の鎖部材２（終端鎖部材３を除く。）は、上下を開口したカップ体１０と、上下の鎖部材２と連設する機能およびカップ体１０を支持する機能を兼ね備えた連設片２０との２部品によって構成されている。
【００２７】
より具体的には、カップ体１０は銅などの金属や樹脂で製され、上面部が開口され底部１３に貫通孔１２が設けられた、上部方向にやや広がった六角筒体状に形成されており、上端には開口１１を囲むように装飾用の花弁体１４が形成されている。また、カップ体１０の内部空間１６は、それぞれが底部１３の貫通孔１２に向けてわずかに降下傾斜した６面の内壁面１５によって囲まれている。なお、カップ体１０は六角筒体でなくてもよく、横断面が他の多角形、円形あるいは楕円形などの筒体であってもよく、流下してくる雨水を受け止め下方に流す機能と、外観を装飾するデザイン性を要したものであることが望ま
しい。
【００２８】
一方、連設片２０は、リン青銅などの弾性のある金属や樹脂で製された棒状体を折り曲げ加工して成形されており、上、下に上引掛け部２１、下引掛け部２２が形成され、中間にらせん状に旋回加工された水はね防止部２３が形成されている。つまり、連設片は１本の棒状体よりなるため、その一方の端部で上引掛け部２１が形成され、他方の端部で下引掛け部２２が形成されており、上引掛け部２１では一方の開放端２１ｂを折り曲げて上端部２１ａに掛部が形成され、下引掛け部２２では他方の開放端２２ｂを折り曲げて下端部に掛受部２２ａが形成されている。さらに、上引掛け部２１、下引掛け部２２のそれぞれ
には、棒状体の開放端２１ｂ、２２ｂによる開口２１ｃ、２２ｃが形成されている。また、上引掛け部２１と下引掛け部２２とは、平面視で交差している（図１（ｂ）を参照）。なお、棒状体は、径が３ｍｍ〜５ｍｍ程度のものが望ましいが、これには限定されない。
【００２９】
また、下引掛け部２２はカップ体１０を下方より支持するための一対の支持突片２２ｄ、２２ｄを有した、下向き矢印状の形状となっており、一対の支持突片２２ｄ、２２ｄがカップ体１０の底部１３の貫通孔１２周辺を下方より支持する構造となっている。さらに、下引掛け部２２の上端部は、開口２２ｃによって弾性変形が可能となっているため、その弾性力によってもカップ体１０との係合が補完される。
【００３０】
また、水はね防止部２３を構成するらせん体は、上部から下部に向けて径が小さくなるようなコイルばね体であり、本実施形態ではらせん体の外側面の数箇所が、直立させたカップ体１０の内壁面１５に接している。このように、らせん体を内壁面１５に接触させることで、カップ体１０をぐらつかせることなく安定化できる。カップ体１０をより確実に安定化させるために、カップ体１０の内壁面１５に段部や溝などを設けて、それらにらせん体を係合、固定できるようにしてもよい。
【００３１】
なお、カップ体を直立させた状態で、水はね防止部とカップ体の内壁面とが全く接触しないものでもよい。水はね防止部と内壁面との間にわずかな空隙を形成させておけば、風や流下する雨水などでくさり竪樋が揺れ動くたびに、個々のカップ体もそれぞれ異なる方向に揺れ動く可能性があるが、それによって動的な装飾性、意匠性が得られる。
【００３２】
さらに、連設片２０の水はね防止部２３によれば、そのらせん形状によって、図１（ｂ）の平面図に示すように、上下に開口されたカップ体１０の内部空間１６が平面視で目皿のごとく適度に塞がれており、かつ図２に示すように水はね防止部２３が立体的に形成されているため、上方よりカップ体１０に流れ込んでくる雨水をカップ体１０の内方でいったん受け止めて、雨水をらせん体や内壁面１５に伝わせるように流下させ、それによって大量の雨水が直接落下することを防ぎ、単位時間当たりの流水量を減じるように、貫通孔１２より雨水を流出させることができる。
【００３３】
こうして、カップ体１０に流れ込んできた雨水は水はね防止部２３を伝い流下していくため、カップ体１０の出口（貫通孔１２）から雨水が飛散、水はねすることを防止できる。また、上引掛け部２１と下引掛け部２２が平面視で交差しているため、水はね防止部２３だけによらず、これらによっても水はね防止効果を向上させることができる。つまり、本実施形態に示した鎖部材２によれば、カップ体１０および連設片２０の協働によって、水はねを防止することができる。もちろん、カップ体１０による意匠性、重量感、安定感なども期待できる。
【００３４】
なお、水はね防止部２３はらせん体に限られず、棒状体を種々の形状に折り曲げたり湾曲させたりして変形させたものでもよい。特に、雨水の直接落下が防げるように、平面視で上面開口１１の一部を塞いで、開口１１を塞ぐそれらの障害物に雨水を当てて伝い流下させやすくでき、かつカップ体１０の内壁面１５に周端の一部が近接あるいは接触するような形状のものが望ましい。例えば、棒状体を平面視で星形、放射状などに折曲加工したものでもよい。
【００３５】
また、本実施形態に示した上記鎖部材２によれば、鎖部材２を構成する部品の点数が少なく、またカップ体１０および連設片２０の形状、構造も簡易であるため、コストダウンにも貢献でき、また部品がカップ体１０および連設片２０の２点なので在庫管理も面倒ではない。
【００３６】
さらに、この鎖部材２の構造によれば、くさり竪樋１の組立て作業（複数の鎖部材の連設作業）も効率的に行える。図４には、くさり竪樋１の組立て手順の一例を斜視図で示している。なお、図４では、連設作業を行おうとしている当該鎖部材とその構成部材、部分については符号に「Ｄ」を付加し、被連設鎖部材とその構成部材、部分については符号に「Ｕ」を付加している。
【００３７】
図４に示すように、まず、上側の鎖部材（図４には不図示）のカップ体（図４には不図示）を少し上に持ち上げて連設片２０Ｕの下引掛け部２２Ｕの開口２２ｃＵを露出させた状態にしておき、その下引掛け部２２Ｕの掛受部２２ａＵに、吊り下げようとする鎖部材２Ｄの連設片２０Ｄの上引掛け部２１Ｄの開放端２１ｂＤを通して、掛部２１ａＤを引掛けて、連設片２０Ｄのみを吊るした状態にする（図４には、このときの状態を示している）。それから、単独で吊るされた連設片２０Ｄをカップ体１０Ｄの上面部の開口１１Ｄより挿入させていき、その連設片２０Ｄの下引掛け部２２Ｄを弾性変形させながら、カップ体１０Ｄの底部１３Ｄの貫通孔１２Ｄを通過させて両者を係合させる。このような連設作業を繰り返すことでくさり竪樋を組み立てることができる。
【００３８】
なお、上記の組立て作業によれば、いったん吊り下げた鎖部材２について、カップ体１０を連設片２０より持ち上げて作業する必要があるため、引っかかりなく持上げできるように、またスムースに状態復帰できるように、下引掛け部２２の開放端２２ｂは開口２２ｃ側にわずかに折曲されている（図２なども参照）。
【００３９】
また、図１、図２で示したように、連設片２０の下引掛け部２２には弾性変形用の開口２２ｃが形成されているため、カップ体１０に連設片２０を取り付けて鎖部材２を形成してからでも、連設作業は行える。すなわち、くさり竪樋１の組立ては、図４の例のように連設片２０とカップ体１０とを個別に取り付けながら作業してもよいし、図５および図６に示すように、事前に形成準備した個々の鎖部材２を鎖部材２ごと現場で連設するようにしてもよい。この作業手順について、図５および図６を参照しながら説明する。
【００４０】
図５、図６および図７は、連設作業の手順を示す正面図で、作業は図５（ａ）、図５（ｂ）、図６（ａ）、図６（ｂ）、図７（ａ）、図７（ｂ）の順に進められる。
【００４１】
図５に示すように、まず、カップ体１０Ｄと連設片２０Ｄとを合体させて鎖部材２Ｄを形成する。すなわち、まず連設片２０Ｄをカップ体１０Ｄの上面部の開口１１Ｄより挿入させていき、その連設片２０Ｄの下引掛け部２２Ｄを弾性変形させながら、カップ体１０Ｄの底部１３Ｄの貫通孔１２Ｄを通過させて両者を係合させる（挿入前の状態を示す図５（ａ）および係合前の状態を示す図５（ｂ）を参照）。さらに下方に吊るす鎖部材２Ｄについても、同様に形成しておく。
【００４２】
つぎに、被連設鎖部材２Ｕのカップ体１０Ｕを少し上に持ち上げて連設片２０Ｕの下引掛け部２２Ｕの開口２２ｃＵが露出する程度に隙間Ｓを空けておき、あらかじめ形成しておいた当該鎖部材２Ｄを斜め状に持ち、鎖部材２Ｄの上引掛け部２１Ｄの掛部２１ａＤを上記隙間Ｓに通して（図６（ａ）および図６（ｂ）を参照）、鎖部材２Ｕの下引掛け部２２Ｕの掛受部２２ａＵまで落とし込む。
【００４３】
その後、当該鎖部材２Ｄを吊るした状態で、被連設鎖部材２Ｕのカップ体１０Ｕを、底部１３Ｕが支持突片２２ｄＵに支持される状態まで引き下げる（図７を参照）。そして、このような連設作業を繰り返しながら、所要の長さのくさり竪樋を形成する。なお、鎖部材２Ｕを取り外す場合は、上記とは逆に、図７、図６（ｂ）、図６（ａ）の順に作業を行えばよい。
【００４４】
また、連設片２０の上引掛け部２１にも開口２１ｃ（図１、図２を参照）が形成されているため、その開口２１ｃの開放端２１ｂを上側の鎖部材２の下引掛け部２２の掛受部２２ａに差し入れるようにして引掛けて連設する方法をとってもよい。以上のように種々の組立て方法が想定できるが、そのいずれの組立て方法であっても、作業は短時間で行うことができ、作業効率はきわめてよい。
【００４５】
また、上引掛け部２１と下引掛け部２２とは平面視で交差しているので、鎖部材２を連設してくさり竪樋１を組み立てたときに、上引掛け部２１、下引掛け部２２のそれぞれの全てが同一方向を向き、そのため見映えをよくできる。
【００４６】
ついで、本発明の第２の実施形態について、図８を参照しながら説明する。
【００４７】
図８は、本実施形態のくさり竪樋を構成する鎖部材の説明図であり、図８（ａ）は鎖部材の構成部品である連設片の正面図、図８（ｂ）は図８（ａ）のＡ−Ａ線の側断面図、図８（ｃ）は連設片の右側面図である。なお、本実施形態では、連設片の形状が第１の実施形態のものと異なるが、カップ体については同一であるため、２点鎖線で外形を示すとともに、その構成部分については第１の実施形態と同一の符号を付してその詳細の説明については省略する。
【００４８】
この鎖部材２Ａは、板状体を切り欠きしたり、切り起こして折り曲げたりして連設片２０を形成したもので、図例では、連設片２０の材料として、上引掛け部２１に相当する部分を幅狭とし、中間の水はね防止部２３に相当する部分を幅広とし、下引掛け部２２に相当する部分を上引掛け部２１よりもやや幅広とした、リン青銅などの金属板を使用している。
【００４９】
上引掛け部２１は、その基端部２１ｄの少し上で水平方向に直角にひねり、他の板状部（水はね防止部２３および下引掛け部２２）と平面視で交差するように形成され、その上端には、湾曲形成し開口２１ｃを有した掛部２１ａが形成されている。
【００５０】
一方、下引掛け部２２は、下端部に切込み孔２２ｅが形成されて、連設片２０の上引掛け部２１の掛部２１ａを挿入して引掛けるようにした掛受部２２ａが形成され、その切込み孔２２ｅより上方には、カップ体１０を下方より支持するために、相互に異なる方向に上方を開くように垂直方向に切断形成した一対の支持突片２２ｄ、２２ｄが形成されている。
【００５１】
この下引掛け部２２の一対の支持突片２２ｄ、２２ｄは、切り起こし加工されてほぼ同一角度で相互に反対側に開いており、それらの開放端部２２ｄａ、２２ｄａでカップ体１０の底部１３の貫通孔１２周辺を支持できるようになっている。
【００５２】
また、この連設片２０はカップ体１０の上面部の開口１１より挿入、装着するが、下引掛け部２２を底部１３の貫通孔１２に通すときには、下引掛け部２２の一対の支持突片２２ｄ、２２ｄが貫通孔１２の周縁に当たり、さらに押し入れてゆくと一対の支持突片２２ｄ、２２ｄは弾性変形してその上端が近づくように徐々に閉じてゆき、支持突片２２ｄ、２２ｄが完全に抜けると元の状態に復帰して、底部１３を下方より支持する状態となる。
【００５３】
連設片２０の中間に位置する水はね防止部２３は、上下２箇所に平行に、相互に異なる方向に開くように水平方向に切断形成した切り起こし片２３ｂ、２３ｂが形成されている。これらの切り起こし片２３ｂ、２３ｂは、平面視で、水はね防止部２３の本体板２３ａに対し直交するように、中央位置に折り曲げ加工され、その先端２３ｂａが内壁面１５に近接あるいは接触するように形成されている。この切り起こし片２３ｂ、２３ｂによって、連設片２０は平面視で十字形状を形成する。なお、３以上の切り起こし片を種々の方向に折り曲げ形成させてもよい。
【００５４】
このように、本実施形態に示した鎖部材２Ａも、平面視で、カップ体１０の内部空間１６の一部を塞ぐように水はね防止部２３（連設片２０）が配設されるため、水はね防止効果が期待できる。この鎖部材２Ａは、連設片２０として板状体を立てて使用するため、平面視では上下に貫通する開口をわずかにしか塞げないが、板状体であるため横方向を向く板面が広く、そのため落下してきた雨水は板面に当たりやすく、雨水がいったん板面に当たるとそのまま伝い流下するので、貫通孔１２からの流出の勢いは制される。よって、この鎖部材２Ａによっても水はね、飛散を効果的に防止できる。
【００５５】
また、鎖部材２Ａはカップ体１０および連設片２０の２部品で構成され、構成部品であるカップ体１０および連設片２０の形状、構造も簡易であるため、組立てが簡単にでき、またコスト面、在庫管理面でも効果的である。さらに、くさり竪樋１の組立て作業（複数の鎖部材の連設作業）も効率的に行える。
【図面の簡単な説明】
【００５６】
【図１】本発明の第１の実施形態として示されるくさり竪樋を構成する鎖部材の説明図で、（ａ）は斜視図、（ｂ）は平面図である。
【図２】（ａ）は同鎖部材の構成部品である連設片の正面図、（ｂ）は側面図である。
【図３】同くさり竪樋（鎖部材が連設された状態）の概略斜視図である。
【図４】同くさり竪樋の組立て手順の一例を示した斜視図である。
【図５】（ａ）、（ｂ）は同くさり竪樋の組立て手順の他例を示した正面図である。
【図６】（ａ）、（ｂ）は同くさり竪樋の組立て手順の他例を示した正面図である。
【図７】同くさり竪樋の組立て手順の他例を示した正面図である。
【図８】本発明の第２の実施形態として示されるくさり竪樋を構成する鎖部材の説明図で、（ａ）は同鎖部材の構成部品である連設片の正面図、（ｂ）は（ａ）のＡ−Ａ線の側断面図、（ｃ）は同連設片の右側面図である。
【図９】（ａ）は鎖部材の構成部品であるカップ体の平面図、（ｂ）は鎖部材の正面図である。
【符号の説明】
【００５７】
１      くさり竪樋
２      鎖部材
１０      カップ体
１１      上面開口
１２      貫通孔
１３      底部
１５      内壁面
１６      内部空間
２０      連設片
２１      上引掛け部
２１ａ      掛部
２１ｂ      開放端
２１ｃ      開口
２２      下引掛け部
２２ａ      掛受部
２２ｂ      開放端
２２ｃ      開口
２２ｄ      一対の支持突片
２３      水はね防止部